(57)【要約】  【課題】  人物画像の色合いを好ましくすることと、人物画像を装飾する装飾画像等の色合いを好ましくすることとを両立可能な画像処理装置を提供すること。  【解決手段】  人物が撮影された撮影画像を取得する撮影画像取得手段１０ａと、人物画像に対して第１の色変換を施す第１色変換処理手段１０ｆと、手書き文字や絵等の落書き画像を取得する落書き画像取得手段１０ｂと、テンプレート画像を取得するテンプレート画像取得手段１０ｃと、落書き画像およびテンプレート画像に対して第１の色変換と相互に異なる第２の色変換を施す第２色変換処理手段１０ｇと、第１の色変換が施された撮影画像と第２の色変換が施された落書き画像およびテンプレート画像とを合成する画像合成手段１０ｊと、合成された画像を出力するプリンタ３０とを備えるように構成した。【選択図】  図１
2005117407.tif 000002
【特許請求の範囲】
【請求項１】
人物画像を取得する第１画像取得手段と、
取得された人物画像に対して第１の色変換を施す第１色変換処理手段と、
手書き文字や絵等の装飾画像、その他の前記人物画像に関連する非人物画像を取得する第２画像取得手段と、
前記非人物画像に対して前記第１の色変換と相互に異なる第２の色変換を施す第２色変換処理手段と、
前記第１の色変換が施された人物画像と前記第２の色変換が施された非人物画像とを合成する画像合成手段と、
合成された画像を出力する画像出力手段と、
を備えたことを特徴とする画像処理装置。
【請求項２】
人物画像を取得する第１画像取得手段と、
取得された人物画像に対して第１の色変換を施す第１色変換処理手段と、
手書き文字や絵等の装飾画像、その他の前記人物画像に関連する非人物画像であって前記第１の色変換と相互に異なる第２の色変換が施された非人物画像を取得する第２画像取得手段と、
前記第１の色変換が施された人物画像と前記第２の色変換が施された非人物画像とを合成する画像合成手段と、
合成された画像を出力する画像出力手段と、
を備えたことを特徴とする画像処理装置。
【請求項３】
前記第１画像取得手段は、人物を撮影する手段であり、
前記第１色変換処理手段は、前記第１画像取得手段で撮影された人物画像に対して前記第１の色変換を施すことを特徴とする請求項１又は２に記載の画像処理装置。
【請求項４】
前記第２画像取得手段は、文字や絵などを手書き入力する手段を含み、
前記第２色変換処理手段は、前記第２画像取得手段で手書き入力された装飾画像に対して前記第２の色変換を施すことを特徴とする請求項１に記載の画像処理装置。
【請求項５】
前記第１の色変換は、前記人物画像の肌色部分を明るくする色変換であることを特徴とする請求項１、２、３又は４に記載の画像処理装置。
【請求項６】
前記第２の色変換は、前記非人物画像の彩度を上げる色変換であることを特徴とする請求項１、２、３、４又は５に記載の画像処理装置。
【請求項７】
明るさなどの人物の嗜好に関する嗜好情報、その他の人物画像に関する補助情報を取得する補助情報取得手段を備え、
前記第１色変換処理手段は、前記補助情報に基づいて前記第１の色変換を行うことを特徴とする請求項１、２、３、４、５又は６に記載の画像処理装置。
【発明の詳細な説明】
【技術分野】
【０００１】
本発明は画像処理装置に係り、特に人物が撮影された画像に装飾画像やテンプレート画像等の画像を合成可能な画像処理装置に関する。
【背景技術】
【０００２】
従来、人物を撮影した撮影画像に、この撮影画像を装飾する各種の装飾画像を合成するようにした画像処理装置が知られている（例えば特許文献１を参照）。例えば、被写体である人物の背景、前景あるいは輪郭となる部分に装飾画像を合成して、この合成された画像をシール紙などに印刷することができる。
【０００３】
このような画像処理装置においては、いつもお決まりの装飾画像が合成されるだけでは面白みに欠けるという理由から、近年、様々な装飾画像の合成を可能としたものが提供されるようになってきた。例えば、ユーザ自らがペン入力デバイスにより手書きの文字や絵を自在に入力し、このような落書き画像を撮影画像に合成するようにしたものも提供されている。
【特許文献１】特開２００３−１４５８８０号公報
【発明の開示】
【発明が解決しようとする課題】
【０００４】
しかしながら、人物が撮影された撮影画像と人物画像を装飾する装飾画像とでは、一般に、ユーザから異なった色合いが要望されることが多いにもかかわらず、人物画像と装飾画像とでともに好ましい色合いを出すように両立させることは困難であった。
【０００５】
特に、人物画像の中で最も重要視されるのが肌の色であり、例えば「肌色は実物より明るくして欲しい」といったユーザの嗜好に合わせようとすると、逆に全体的に色の鮮やかさが低下してしまう。特に、肌色に近い色合いの色の扱いが難しい。また、一般に、落書き画像では、色の鮮やかさが求められる傾向にあり、このようなユーザの嗜好に合わせようとすると、逆に人物画像の肌色がユーザの好みの色から外れてしまうこともある。このように、人物画像と人物画像を装飾する装飾画像とでともに好ましい色合いを出すように両立させることが困難であるという問題があった。
【０００６】
本発明はこのような事情に鑑みてなされたもので、人物画像の色合いを好ましくすることと、人物画像を装飾する装飾画像の色合いを好ましくすることとを両立させることができる画像処理装置を提供することを目的とする。
【課題を解決するための手段】
【０００７】
前記目的を達成するために、請求項１に記載の発明は、人物画像を取得する第１画像取得手段と、取得された人物画像に対して第１の色変換を施す第１色変換処理手段と、手書き文字や絵等の装飾画像、その他の前記人物画像に関連する非人物画像を取得する第２画像取得手段と、前記非人物画像に対して前記第１の色変換と相互に異なる第２の色変換を施す第２色変換処理手段と、前記第１の色変換が施された人物画像と前記第２の色変換が施された非人物画像とを合成する画像合成手段と、合成された画像を出力する画像出力手段とを備えた構成となっている。
【０００８】
この構成によって、人物画像には人物画像に適した色合いにするように色変換処理が施されるようできるとともに、手書き文字や絵等の装飾画像等には装飾画像等に適した色合いにするように色変換処理が施されるようにでき、このようにそれぞれに適した色変換処理が施された人物画像および装飾画像等が合成されて出力されることになる。また、撮影画像の色調整を行う設計技術者のグループと、装飾画像等を作る設計技術者のグループとの、明確な作業分担が可能になり、開発効率をアップさせることが可能になる。
【０００９】
また、請求項２に記載の発明は、人物画像を取得する第１画像取得手段と、取得された人物画像に対して第１の色変換を施す第１色変換処理手段と、手書き文字や絵等の装飾画像、その他の前記人物画像に関連する非人物画像であって前記第１の色変換と相互に異なる第２の色変換が施された非人物画像を取得する第２画像取得手段と、前記第１の色変換が施された人物画像と前記第２の色変換が施された非人物画像とを合成する画像合成手段と、合成された画像を出力する画像出力手段とを備えた構成となっている。
【００１０】
この構成によって、人物画像には人物画像に適した色合いにするように色変換処理が施されるようでき、手書き文字や絵等の装飾画像等は装飾画像等に適した色合いにする色変換処理が予め施されたものが取得され、このようにそれぞれに適した色変換処理が施された人物画像および装飾画像等が合成されて出力されることになる。また、撮影画像の色調整を行う設計技術者のグループと、装飾画像等を作る設計技術者のグループとの、明確な作業分担が可能になり、開発効率をアップさせることが可能になる。
【００１１】
また、請求項３に記載の発明は、請求項１又は２に記載の発明において、前記第１画像取得手段は、人物を撮影する手段であり、前記第１色変換処理手段は、前記第１画像取得手段で撮影された人物画像に対して前記第１の色変換を施す構成となっている。
【００１２】
この構成によって、人物を撮影したその場で、人物画像と装飾画像等とでそれぞれ適正な色合いにする色変換が施された合成画像を得ることができる。
【００１３】
また、請求項４に記載の発明は、請求項１に記載の発明において、前記第２画像取得手段は、文字や絵などを手書き入力する手段を含み、前記第２色変換処理手段は、前記第２画像取得手段で手書き入力された装飾画像に対して前記第２の色変換を施す構成となっている。
【００１４】
この構成によって、ユーザが好みの落書き画像を入力したその場で、人物画像と装飾画像等とでそれぞれ適正な色合いにする色変換が施された合成画像を得ることができる。
【００１５】
また、請求項５に記載の発明は、請求項１、２、３又は４に記載の発明において、前記第１の色変換は、前記人物画像の肌色部分を明るくする色変換である構成となっている。
【００１６】
この構成によって、「肌色部分は明るくして欲しい」といったユーザの要望に応えることができるとともに、装飾画像等の色合いは装飾画像等に適した色合いで合成することができる。
【００１７】
また、請求項６に記載の発明は、請求項１、２、３、４又は５に記載の発明において、前記第２の色変換は、前記非人物画像の彩度を上げる色変換である構成となっている。
【００１８】
この構成によって、「装飾画像は色鮮やかにして欲しい」といったユーザの要望に応えることができるとともに、人物画像の色合いは人物画像に適した色合いで合成することができる。
【００１９】
また、請求項７に記載の発明は、請求項１、２、３、４、５又は６に記載の発明において、明るさなどの人物の嗜好に関する嗜好情報、その他の人物画像に関する補助情報を取得する補助情報取得手段を備え、前記第１色変換処理手段は、前記補助情報に基づいて前記第１の色変換を行う構成となっている。
【００２０】
この構成によって、特にユーザの関心が高い人物画像に対してユーザの嗜好等に合った画像処理が施されることになる。露出などの人物画像の撮影条件に合った画像処理を人物画像に対して施すようにしてもよい。
【発明の効果】
【００２１】
本発明によれば、人物画像の色合いを好ましくすることと、人物画像を装飾する装飾画像の色合いを好ましくすることとを両立させることができる。
【発明を実施するための最良の形態】
【００２２】
以下、添付図面に従って、本発明に係る画像処理装置の最良の実施形態について、詳細に説明する。
【００２３】
図１は、本発明に係る一実施形態の画像処理装置の概略構成を概念的に示す要部ブロック図である。
【００２４】
図１に示す画像処理装置１０は、主として、撮影画像取得手段１０ａ、落書き画像取得手段１０ｂ、テンプレート画像取得手段１０ｃ、補助情報取得手段１０ｄ、セットアップ処理手段１０ｅ、第１色変換処理手段１０ｆ、第２色変換処理手段１０ｇ、第３色変換処理手段１０ｈ、第４色変換処理手段１０ｉ、第１画像合成手段１０ｊ、第２画像合成手段１０ｋ、表示装置２８、および、プリンタ３０を含み構成される。
【００２５】
撮影画像取得手段１０ａは、被写体として人物が撮影された撮影画像（「人物画像」ともいう）を取得するものである。
【００２６】
落書き画像取得手段１０ｂは、手書き文字や絵等の落書き画像（「装飾画像」ともいう）を取得するものである。
【００２７】
テンプレート画像取得手段１０ｃは、プリントしたときに人物画像のフレームや背景あるいは前景になるテンプレート画像（「下地画像」ともいう）を取得するものである。
【００２８】
補助情報取得手段１０ｄは、露出などの撮影画像の撮影状態に関する撮影情報、明るさなどのユーザの嗜好に関する嗜好情報、その他の撮影画像に関する補助情報を取得するものである。
【００２９】
セットアップ処理手段１０ｅは、補助情報に基づいて、セットアップ処理を行うものである。例えば、撮影情報に基づいて、露出が少なめで全体的に撮影画像が暗い場合には、全体的に撮影画像を明るくする処理を行う。
【００３０】
第１色変換処理手段１０ｆは、撮影画像に対してプリント用の色変換を施すものである。具体的には、撮影画像に対して、肌色部分のみを明るくする色変換を施すとともに、プリンタ３０の特性およびプリント媒体の特性に合わせた色変換を施す。
【００３１】
第２色変換処理手段１０ｇは、落書き画像およびテンプレート画像に対してプリント用の色変換を施すものである。具体的には、落書き画像およびテンプレート画像に対して、鮮やかな色合いにするように彩度を上げる色変換を施すとともに、プリンタ３０の特性およびプリント媒体の特性に合わせた色変換を施す。
【００３２】
第３色変換処理手段１０ｈは、撮影画像に対して表示用の色変換を施すものである。具体的には、撮影画像に対して、肌色部分のみを明るくする色変換を施すとともに、表示装置２８の特性に合わせた色変換を施す。
【００３３】
第４色変換処理手段１０ｉは、落書き画像およびテンプレート画像に対して表示用の色変換を施すものである。具体的には、落書き画像およびテンプレート画像に対して、鮮やかな色合いにするように彩度を上げる色変換を施すとともに、表示装置２８の特性に合わせた色変換を施す。
【００３４】
第１画像合成手段１０ｊは、第１色変換処理手段１０ｆで色変換が施されたプリント用の撮影画像と、第２色変換処理手段１０ｇで色変換処理が施されたプリント用の落書き画像およびテンプレート画像とを合成するものである。
【００３５】
第２画像合成手段１０ｋは、第３色変換処理手段１０ｈで色変換が施された表示用の撮影画像と、第４色変換処理手段１０ｉで色変換が施された表示用の落書き画像およびテンプレート画像とを合成するものである。
【００３６】
表示装置２８は、第２画像合成手段１０ｋによって合成された表示用の合成画像を表示するものである。
【００３７】
プリンタ３０は、第１画像合成手段１０ｊによって合成されたプリント用の合成画像を所定のプリント媒体にプリントするものである。
【００３８】
図２は、図１の画像処理装置１０を、撮影したその場で撮影画像をプリント可能な装置に適用した場合の具体的な構成例を示している。この画像処理装置１０は、主として、ＣＰＵ（中央処理装置）１０２、ＲＯＭ（Read Only Memory）１０４、ＲＡＭ（Random Access Memory）１０６、色変換処理部１０８、画像合成部１１０、データベース１１２、通信部１１４、記録媒体インタフェース１１６、カメラインタフェース１２２、照明インタフェース１２４、入力インタフェース１２６、表示インタフェース１２８、プリンタインタフェース１３０、タグリーダインタフェース１３２、代金処理インタフェース１３４、および、バス１４０を含む画像処理コントロール装置１００と、この画像処理コントロール装置１００に接続された、カメラ２２、照明装置２４、入力装置２６、表示装置２８、プリンタ３０、タグリーダ３２、および、代金処理装置３４とから構成されている。
【００３９】
ＣＰＵ１０２は、所定のプログラムに従って画像処理装置１０全体を統括制御するものである。
【００４０】
ＲＯＭ１０４は、プログラムやプログラムの実行に必要な情報等を予め記憶するものである。
【００４１】
ＲＡＭ１０６は、プログラムのワーク領域として用いられるほか、画像処理対象の画像が一時的に記憶されるものである。
【００４２】
色変換処理部１０８は、図１の第１色変換処理手段１０ｆ、第２色変換処理手段１０ｇ、第３色変換処理手段１０ｈおよび第４色変換処理手段１０ｉを構成するものである。ＣＰＵ１０２に含まれるようにして構成してもよい。
【００４３】
画像合成部１０８は、図１の第１画像合成手段１０ｊおよび第２画像合成手段１０ｋを構成するものである。ＣＰＵ１０２に含まれるようにして構成してもよい。
【００４４】
カメラ２２は、人物を被写体として撮影するものである。カメラ２２で得られた撮影画像は、ＣＰＵ１０２の制御により、カメラインタフェース１２２を介して、ＲＡＭ１０６に取り込まれる。
【００４５】
照明装置２４は、被写体となる人物を照明するものである。照明装置２４は、照明インタフェース１２４を介して、ＣＰＵ１０２により制御されるようになっている。
【００４６】
入力装置２６および表示装置２８はユーザが操作を行うための操作パネルを構成する。
【００４７】
入力装置２６には、撮影指示、プリントレイアウト選択、明るさ選択、テンプレート画像選択、落書き画像入力、印刷枚数入力、印刷指示などを行う操作ボタンおよびペン入力デバイスが設けられている。入力内容は、入力インタフェース１２６を介して、ＣＰＵ１０２に通知される。
【００４８】
表示装置２８は、撮影画像、落書き画像およびテンプレート画像がそれぞれ個別で表示されるとともに、これらの合成画像が表示されるようになっており、ユーザがプリントレイアウトを選択するための画面、落書き画像の色を選択したり落書き画像を入力するための画面、など各種の画面を表示することが可能であり、また、プリント前の合成画像のレビューをすることが可能になっている。この表示装置２８は、表示インタフェース１２８を介して、ＣＰＵ１０２により制御されるようになっている。
【００４９】
プリンタ３０は、所定のプリント媒体に合成画像をプリントするものである。このプリンタ３０は、プリンタインタフェース１３０を介して、ＣＰＵ１０２により制御されるようになっている。
【００５０】
タグリーダ３２は、プリント媒体を識別するＩＤタグをプリント媒体から読み取るものである。読み取られたＩＤタグは、タグリーダインタフェース１３２を介してＣＰＵ１０２に通知される。
【００５１】
代金処理装置３４は、ユーザによって入金された代金を演算し、演算した代金が予め設定されている所定の金額に達したと判定した場合、代金処理インタフェース１３４を介して、ＣＰＵ１０２に通知する。
【００５２】
データベース１１２は、８分割プリント、１６分割プリント、３２分割プリント等のプリント用画像のレイアウトに必要なプリントレイアウト情報、画像の色変換処理を規定するプロファイル、テンプレート画像、その他のデータを蓄積するものである。
【００５３】
通信部１１４は、ネットワークを介して所定のサーバと通信可能になっている。
【００５４】
記録媒体インタフェース１１６は、メモリカードやＣＤ―ＲＯＭ（Compact Disc-Read Only Memory）などのリムーバブルな記録媒体とのデータの授受が可能になっている。
【００５５】
ＣＰＵ１０２は、画像処理装置１０の各部を統括制御するほか、セットアップ処理等の各種処理を行うようになっている。なお、モーションＪＰＥＧ（Joint Photographic Expert Group）形式等で圧縮して記録されていた画像データの伸長や、圧縮処理なども行うようになっている。色変換処理部１０８や画像合成部１１０を含むように構成した態様もある。
【００５６】
図２に示した構成要素と図１の構成要素との対応関係を簡単に説明する。撮影画像取得手段１０ａは、カメラ２２およびカメラインタフェース１２２等で構成される。落書き画像取得手段１０ｂは、入力装置２６および入力インタフェース１２６等で構成される。テンプレート画像取得手段１０ｃは、データベース１１２等で構成される。補助情報取得手段１０ｄは、カメラ２２、カメラインタフェース１２２、入力装置２６、入力インタフェース１２６等で構成される。セットアップ処理手段１０ｅはＣＰＵ１０２で構成される。
【００５７】
なお、撮影画像、落書き画像、およびテンプレート画像は、通信部１１４によって図示しない所定のサーバから取得するようにしてもよいし、記録媒体インタフェース１１６によって記録媒体１６から取得するようにしてもよい。
【００５８】
また、色変換処理部１０８及び画像合成部１１０はＣＰＵ１０２で構成してもよい。
【００５９】
ＣＰＵ１０２で実行されるプログラムは、このプログラムを記録したＣＤ−ＲＯＭから記録媒体インタフェース１１６を介して画像処理装置１０にインストールするようにしてもよい。また、ネットワークおよび通信部１１４を介して、プログラムを提供するサーバからダウンロードするようにしてもよい。
【００６０】
次に、色変換処理部１０８の行う色変換処理について図３を用いて詳細に説明する。
【００６１】
図３（ａ）、（ｂ）および（ｃ）は、Ｌ*ａ*ｂ*（エルスター・エースター・ビースター）表色系における色度図を示す。Ｌ*ａ*ｂ*表色系では、明度がＬ*、色相および彩度を示す色度がａ*ｂ*で表わされる。Ｌ*は＋方向が明度の高い方向（白方向）であり、−方向が明度の低い方向（黒方向）である。また、ａ*は＋方向が赤方向で−方向が緑方向、ｂ*は＋方向が黄方向で−方向が青方向である。また、数値が大きいほど、即ち中心（Ｌ*軸）から離れるほど、彩度が上がって色鮮やかになる。逆に、数値が小さいほど、即ち中心（Ｌ*軸）に近いほど、彩度が下がってくすんだ色になる。
【００６２】
図３（ａ）に示すように、人物画像において特に重要な肌色領域３０１は、色相角が４５度近辺にある。この色相角４５度近辺に位置する他の色としては、赤色およびオレンジ色の中間色の領域３０２がある。従来は、特に、肌色領域３０１と赤およびオレンジの中間色３０２との中間的な彩度の領域３０３の扱いが難しかった。このような肌色領域３０１および肌色領域３０１近辺の領域における色変換処理について、図３（ｂ）および（ｃ）を用いて説明する。
【００６３】
本実施形態の画像処理装置１０では、人物画像に対しては、第１色変換処理手段１０ｆおよび第３色変換処理手段１０ｈによって、図３（ｂ）に示す肌色領域３０１の明度を高くするように、即ち、図３（ｂ）上で＋Ｌ*方向に色変換を施す。なお、肌色領域３０１の周囲部と肌色領域３０１に隣接する領域との間で明度が急に変化しないように、肌色領域３０１の外周部では肌色領域３０１の中心部と比較して、明るくする程度を少なくし、隣接部に向けて滑らかに明度を変化させるようにすると好ましい。
【００６４】
一方で、落書き画像に対しては、第２色変換処理手段１０ｇおよび第４色変換処理手段１０ｉによって、彩度を鮮やかにするように、即ち、図３（ｃ）上で矢印の示すようにＬ*軸から離れる方向に色変換を施す。即ち、色変換前の彩度ｃ*は、数式１で表わされ、
［数式１］
ｃ*＝（ａ*2＋ｂ*2）1/2
色変換後の彩度ｃ*´は、数式２で表わされる。
［数式２］
ｃ*´＝ｋ×ｃ*（ただしｋ＞１）
このように落書き画像の赤・オレンジ中間領域３０２も、他の色の領域と同様に、矢印の示すＬ*軸から離れる方向に色変換が施される。
【００６５】
なお、ユーザに見せる表示画像は、プリント媒体上にプリントされた画像と色が近く見えるような色変換が施されることが好ましい。そこで、プリント用の画像に対しては、第１色変換処理手段１０ｆおよび第２色変換処理手段１０ｇによって、プリンタ３０の特性とプリント媒体の特性とに基づく色変換が施される一方で、表示用の画像に対しては、第３色変換処理手段１０ｈおよび第４色変換処理手段１０ｉによって、表示装置２８の特性に基づく色変換が施される。なお、プリント媒体は、図２のタグリーダ３２によって読み込まれたＩＤタグによって識別し、データベース１１２に予め記憶された複数のプロファイルの中から、ＩＤタグに対応したプロファイルをＣＰＵ１０２が選択することにより、プリント媒体に対応した色変換処理を行うことが可能である。
【００６６】
前記第１から第４色変換処理手段１０ｆ、１０ｇ、１０ｈ、１０ｉは、各色変換処理用の第１から第４のプロファイルに基づいて色変換処理を行う。これらの第１から第４のプロファイルは、例えば、Ｒ（赤）、Ｇ（緑）、Ｂ（青）の三次元色変換処理用の３ＤＬＵＴ（３-Dimension Look Up Table）として、図２のデータベース１１２に予め登録されている。色変換処理部１０８は、各色変換処理別に３ＤＬＵＴを参照して、色変換処理を行う。
【００６７】
次に、画像合成部１１０の行う画像合成処理について説明する。
【００６８】
図４は、撮影画像４０１、落書き画像４０２、テンプレート画像４０３、および、これらの撮影画像４０１と落書き画像４０２とテンプレート画像４０３とが合成された合成画像４０４の例を示す。
【００６９】
撮影画像４０１は、例えばカメラ２２からカメラインタフェース１２２を介して取得した画像である。なお、撮影画像は、カメラ２２から取得した画像に限定されず、ユーザが所有するデジタルカメラや携帯電話等で予め撮影されて、記録媒体１６から記録媒体インタフェース１１６を介して取得された画像であってもよいし、電子メールに添付されて通信部１１４を介して取得された画像であってもよい。
【００７０】
落書き画像４０２は、入力装置２６でペン入力されて入力インタフェース１２６を介して取得した画像である。この落書き画像４０２は、文字に限るものではなく、例えば花や動物を表わすような絵が含まれていてもよい。実際には、表示装置２８で表示された色指定のためのパレットを使って色を変えながら、ユーザにより各種の色指定が行われ、色豊富な落書き画像が生成される。例えば、七色で落書きが入力される。さまざまな中間色も入力可能である。また、入力装置２６でペン入力された落書き画像の代わりに、データベース１１２に予め蓄積されていた各種の装飾画像や、ネットワークを介して装飾画像を提供する所定のサーバから通信部１１４を介してダウンロードして取得した各種の装飾画像であってもよい。
【００７１】
テンプレート画像４０３は、例えば、データベース１１２に予め蓄積されていた画像や、ネットワークを介してテンプレート画像を提供する所定のサーバから通信部１１４を介してダウンロードして取得した画像である。このテンプレート画像は、撮影画像４０１のフレームあるいは前景となるテンプレート画像４０３に限らず、背景などであってもよい。撮影画像４０１がブルーバックで撮影され、この撮影画像４０１のブルーバックの部分にテンプレート画像が合成されるようにしてもよい。
【００７２】
前述のように、撮影画像４０１に対しては、第１色変換処理手段１０ｆおよび第３色変換処理手段１０ｈによって、肌色の部分を明るくする色変換が施される。落書き画像４０２に対しては、第２色変換処理手段１０ｇおよび第４色変換処理手段１０ｉによって、色を鮮やかにする色変換が施される。本実施形態では、テンプレート画像４０３に対しても、落書き画像と同様に、第２色変換処理手段１０ｇおよび第４色変換処理手段１０ｉによって、色を鮮やかにする色変換が施される。
【００７３】
そして、画像合成部１１０によって、撮影画像４０１と落書き画像４０２およびテンプレート画像４０３とが合成されて、合成画像４０４が生成される。なお、合成画像４０４は、実際には、表示装置２８で表示するための合成画像とプリンタ３０でプリントするための合成画像が別々に生成される。
【００７４】
次に、本実施形態の画像処理装置１０での画像処理の流れについて説明する。以下で説明する画像処理の各ステップは、ＣＰＵ１０２の統括制御により所定のプログラムに従って実行される。
【００７５】
まず、被写体として人物が撮影された撮影画像（人物画像）が取得される。例えば、図２において、入力装置２６で撮影ボタンが押されたときに、ＣＰＵ１０２の制御により、カメラ２２によって被写体が撮影され、カメラ２２からカメラインタフェース１２２を介して撮影画像がＲＡＭ１０６内の所定の撮影画像格納領域に取り込まれる。
【００７６】
また、撮影画像のフレームや背景あるいは前景になるテンプレート画像が取得される。例えば、図２において、入力装置２６でユーザが選択したテンプレート画像が、ＣＰＵ１０２の制御により、データベース１１２等からＲＡＭ１０６内の所定のテンプレート画像格納領域に取り込まれる。
【００７７】
さらに、手書き文字や絵等の落書き画像が取得される。例えば、図２において、入力装置２６でのペン入力によりユーザが文字や絵等の手書き入力操作を行うと、ＣＰＵ１０２の制御により、落書き画像がＲＡＭ１０６内の所定の落書き画像格納領域に取り込まれる。
【００７８】
一方で、補助情報が取得される。例えば、図２において、カメラ２２等によって検出された、露出などの撮影画像の撮影状態に関する情報（撮影情報）が、ＣＰＵ１０２により取得される。また、例えば、入力装置２６によってユーザにより入力された、明るさなどのユーザの嗜好に関する情報（嗜好情報）が、ＣＰＵ１０２により取得される。また、例えば、入力装置２６によってユーザにより選択された、８分割プリント、１６分割プリント、３２分割プリントなどのプリントレイアウト情報が、ＣＰＵ１０２により取得される。
【００７９】
撮影画像に対しては、補助情報に基づいて、セットアップ処理が施される。例えば、撮影情報に基づいて、露出が少なめで全体的に撮影画像が暗い場合には、全体的に撮影画像を明るくする処理を行う。
【００８０】
そして、撮影画像と、落書き画像およびテンプレート画像とに相互に異なる色変換処理が施されて、表示装置２８で表示するための表示用の合成画像およびプリンタ３０でプリントするためのプリント用の合成画像が生成される。
【００８１】
第１色変換処理、即ち、撮影画像に施すプリント用の色変換処理では、第１色変換処理用のプロファイルに基づいて、肌色部分のみを明るくする色変換が施されるとともに、プリンタ３０の特性およびプリント媒体の特性に合わせた色変換が施される。
【００８２】
同時に行われる、第２色変換処理、即ち、落書き画像およびテンプレート画像に施すプリント用の色変換処理では、第２色変換処理用のプロファイルに基づいて、鮮やかな色合いにするように彩度を上げる色変換が施されるとともに、プリンタ３０の特性およびプリント媒体の特性に合わせた色変換が施される。
【００８３】
また、第３色変換処理、即ち、撮影画像に施す表示用の色変換処理では、第３色変換処理用のプロファイルに基づいて、肌色部分のみを実際よりも明るくする色変換が施されるとともに、表示装置２８の特性に合わせた色変換が施される。
【００８４】
同時に行われる、第４色変換処理、即ち、落書き画像およびテンプレート画像に施す表示用の色変換処理では、第４色変換処理用のプロファイルに基づいて、鮮やかな色合いにするように彩度を上げる色変換が施されるとともに、表示装置２８の特性に合わせた色変換が施される。
【００８５】
相互に異なる色変換処理が施された、プリント用の撮影画像とプリント用の落書き画像およびテンプレート画像とが、合成されて、プリント用の合成画像が生成される。また、相互に異なる色変換処理が施された、表示用の撮影画像と表示用の落書き画像およびテンプレート画像とが、合成されて、表示用の合成画像が生成される。
【００８６】
表示用の合成画像は、表示装置２８で表示され、プリント用の合成画像は、プリンタ３０で所定のプリント媒体にプリントされる。
【００８７】
このようにして表示装置２８およびプリンタ３０で出力された合成画像は、人物の肌色の部分が明るく出力されるとともに、装飾画像やテンプレート画像の部分が色鮮やかに出力されることになる。また、プリンタ３０で出力された合成画像と略同等な色合いの合成画像が表示装置２８で表示されることになる。
【００８８】
なお、撮影画像に対して施される色変換処理と、落書き画像およびテンプレート画像に対して施される色変換処理とを分離したことにより、撮影画像の色調整を行うカメラやプリンタの設計技術者のグループと、落書き画像やテンプレート画像を作るデザイナやプリンタの設計技術者のグループとの、明確な作業分担が可能になり、開発効率をアップさせることも可能になった。
【００８９】
また、カメラやライティングの条件が変わっても，撮影画像用のプロファイルのみを修正することにより、落書き画像やテンプレート画像の色変換処理を変更することなく、対処することが可能になった。
【００９０】
なお、補助情報取得手段１０ｄで取得した補助情報を、セットアップ処理手段１０ｅでのみ用いる場合を例に説明したが、肌色部分の色調整を行う第１色変換処理手段１０ｆおよび第３色変換処理手段１０ｈで補助情報を参照し、補助情報に基づいて色変換処理を行うようにしてもよい。例えば、露出などの人物画像の撮影状態に関する撮影情報や、明るさなどのユーザの嗜好に関する嗜好情報に基づいて、第１色変換処理手段１０ｆおよび第３色変換処理手段１０ｈで撮影画像に対して施す色変換処理を行うようにしてもよい。例えば、ユーザが美白を好む場合には撮影画像の肌色部分を明るくする程度を大きくするとか、ユーザが決めた階調で色変換処理を行うようにしてもよい。
【００９１】
また、テンプレート画像に対して、落書き画像と同様な色変換処理を行う場合を例に説明したが、第２色変換および第４色変換に相当する適当な色変換が施されたテンプレート画像を予めデータベース１１２などに用意しておき、テンプレート画像には第２及び第４色変換処理手段１０ｇ、１０ｉで色変換を施さないようにしてもよい。
【００９２】
また、落書き画像を取得して合成する場合を例に説明したが、落書き画像は合成せず、撮影画像にテンプレート画像のみを合成するような画像処理装置に本発明を適用することも可能である。
【００９３】
なお、図面に示した例は、本発明の理解を助けるためのものであって、本発明を限定するためのものではなく、本発明の要旨を逸脱しない範囲において、人物画像と非人物画像を合成して出力する各種の画像処理処置に本発明を適用してよいことはもちろんである。
【図面の簡単な説明】
【００９４】
【図１】本発明に係る一実施形態の画像処理装置の概略構成を概念的に示す要部ブロック図
【図２】本発明に係る一実施形態の画像処理装置の具体的な構成例を示すブロック図
【図３】色変換処理を説明するために用いる色度図
【図４】画像合成を説明するために用いる説明図
【符号の説明】
【００９５】
１０ａ…撮影画像取得手段、１０ｂ…落書き画像取得手段、１０ｃ…テンプレート画像取得手段、１０ｄ…補助情報取得手段、１０ｅ…セットアップ処理手段、１０ｆ、１０ｇ、１０ｈ、１０ｉ…色変換処理手段、１０ｊ、１０ｋ…画像合成手段、２２…カメラ、２４…照明装置、２６…入力装置、２８…表示装置、３０…プリンタ、３２…タグリーダ、３４…代金処理装置、１０２…ＣＰＵ、１０４…ＲＯＭ、１０６…ＲＡＭ、１１２…データベース、１１４…通信部、１１６…記録媒体インタフェース、１２２…カメラインタフェース、１２４…照明インタフェース、１２６…入力インタフェース、１２８…表示インタフェース、１３０…プリンタインタフェース、１３２…タグリーダインタフェース、１３４…代金処理インタフェース、１４０…バス
【図１】
2005117407.tif 000003
【図２】
2005117407.tif 000004
【図３】
2005117407.tif 000005
【図４】
2005117407.tif 000006